(57)【要約】【課題】閉扉状態の確認が容易な天井点検口の提供を目的とする。【解決手段】閉扉操作姿勢と開扉操作姿勢との間で天井面１からの突出高さを異ならせて移動する開閉操作手段２を有し、開閉操作手段２の天井面１からの突出高さにより点検扉３の開扉のおそれを判別可能に構成する。  開閉操作手段２を天井面１からの突出高さが分かる位置である斜め下方から天井点検口を一目見るだけで、閉扉操作姿勢と開扉操作姿勢のいずれかであるかを判別することができ、閉扉状態の確認作業を従来に比して極めて容易にすることができる。【選択図】  図７
2009041304.tif 000002
【特許請求の範囲】
【請求項１】
閉扉操作姿勢と開扉操作姿勢との間で天井面からの突出高さを異ならせて移動する開閉操作手段を有し、開閉操作手段の天井面からの突出高さにより点検扉の開扉のおそれを判別可能な天井点検口。
【請求項２】
前記開閉操作手段は、閉扉操作姿勢から垂直方向に回転して天井面に対する突出高さを大きくさせた開扉操作可能姿勢に移行し、該開扉操作可能姿勢から水平回転することにより開扉操作姿勢に移行する請求項１記載の天井点検口。
【請求項３】
前記開閉操作手段を閉扉操作姿勢において水平回転不能に収容する収容部を有し、
かつ、前記開閉操作手段は、閉扉操作姿勢方向に付勢されるとともに、開扉操作可能姿勢方向に所定角度回転した際に付勢方向が反転されて開扉操作可能姿勢方向に付勢され、閉扉と開扉のいずれかに対応した天井面に対する突出高さを保持する請求項２記載の天井点検口。  
【請求項４】
前記開閉操作手段を備えた開閉装置と、
開口内に天井材を保持して点検扉を形成する枠体とを有し、
前記開閉装置は、枠体の開口内に固定され、前記天井材に形成される切欠部周縁との隙間を固定状態において保持する化粧カバーにより隠して点検扉外表面に露出する請求項１ないし３のいずれかに記載の天井点検口。
【発明の詳細な説明】
【技術分野】
【０００１】
本発明は天井点検口に関するものである。
【背景技術】
【０００２】
従来、開閉操作手段を備えた天井点検口としては、例えば特許文献１に記載のものが知られている。この従来例において天井点検口は、開口枠に蝶番を用いて蓋体の一側縁を連結して形成され、この蓋体の他側縁部には仮錠が備えつけられる。仮錠はいわゆるグレモン錠であり、蓋体の面板を貫通する操作軸の蓋体外表面側の端部にはレバーハンドルが取り付けられる。レバーハンドルを天井面に沿う面内で回転させることにより、操作軸が回転し、この操作軸の他端部に連結された回動アームを介してロッドを開口枠の受け孔に出没させ、蓋体を開閉する。
【特許文献１】特開平１０-８７０１号公報
【発明の開示】
【発明が解決しようとする課題】
【０００３】
しかしながら、上記従来例においては、蓋体の開閉がレバーハンドルの天井面に沿う面内での回転姿勢によって決定されるために、しっかりと閉扉されているかを確認するにはレバーハンドルの直下からその回転姿勢を観察しければならず、確認作業に手間を要するという欠点がある。
【０００４】
すなわち、例えば駅などの振動が発生しやすい建物の天井に天井点検口を設置した場合、度重なる振動によって上述したレバーハンドルなどの開閉操作手段が開扉操作姿勢側に移動してしまうことがある。不測の開扉は蓋体の転落などによる人身事故を引き起こす原因になることから、これを防ぐためには定期的に開閉操作手段についての閉扉回転姿勢の確認作業が必要となる。一方、天井点検口は、例えば天井裏に配線等が配置される場合には、この配置に沿うなどして一般に所定間隔毎に設けられることから、大規模な駅の場合、全ての天井点検口の直下に移動して都度開閉操作手段の回転姿勢を確認したのでは多大な手間がかかってしまう。
【０００５】
また、上記従来例は、閉扉状態と開扉状態の判別が開閉操作手段の天井面に沿う面内での回転姿勢の相違のみによることになるために、上述した確認作業時に勘違いを引き起こしやすいという欠点もある。
【０００６】
さらに、天井がやや高い場合には、直下の床から単に眺めただけでは、開閉操作手段の天井面に沿う面内での回転姿勢の識別が困難になりやすいという問題もある。これを防ぐためには開閉操作手段の大きさを大きくすればよいが、この場合には天井の外観を損ねてしまう。
【０００７】
本発明は、以上の欠点を解消すべくなされたものであって、施錠状態の確認が容易であって、妄りに開くことのない天井点検口の提供を目的とする。
【課題を解決するための手段】
【０００８】
本発明によれば上記目的は、
閉扉操作姿勢と開扉操作姿勢との間で天井面１からの突出高さを異ならせて移動する開閉操作手段２を有し、開閉操作手段２の天井面１からの突出高さにより点検扉３の開扉のおそれを判別可能な天井点検口を提供することにより達成される。
【０００９】
本発明によれば、開閉操作手段２は、閉扉操作姿勢と開扉操作姿勢との間で天井面１からの突出高さを異ならせて移動し、天井面１からの突出高さによって開扉のおそれを判別可能に形成される。したがって開閉操作手段２を天井面１からの突出高さが分かる位置である斜め下方から、あるいは通路のような場所に天井点検口が設置される場合には通路の遠方から一目見るだけで、閉扉操作姿勢と開扉操作姿勢のいずれかであるかを判別することができ、閉扉状態の確認作業を従来に比して極めて容易にすることができる。
【００１０】
また、天井面１からの突出高さにより判別することによって、例えば閉扉操作姿勢か開扉操作姿勢のいずれかにおいて天井面１から突出しないようにするなどすれば、これらの判別をより簡単にすることができ、また、いずれの状態であるかを勘違いするようなこともない。さらに、天井面１という一般に開閉操作手段２の大きさに比べて極端に広く、平坦なところから開閉操作手段２を突出させることにより、その識別性を特段に高めることができ、天井面１がやや高い場合でも比較的識別しやすくなる。
【００１１】
以上の開閉操作手段２は、例えば、天井面１から突出する方向に移動させることによって閉扉操作姿勢から開扉操作姿勢に直接移行するように構成することも可能であるが、これらの姿勢の移行途上に開扉操作可能姿勢を設け、この開扉操作可能姿勢と閉扉操作姿勢との間で天井面１からの突出高さを異ならせることにより、開扉操作可能姿勢を不測の開扉が生じるおそれがより高くなった状態として把握できるようにすることができ、実際に開扉してしまう一段階前の状態で不測の開扉をより良好に防止することができる。この場合、閉扉操作姿勢と開扉操作可能姿勢との間の移動方向と、開扉操作可能姿勢と開扉操作姿勢との間の移動方向を異ならせれば、例えば、一定方向の大きな振動が加わった場合に直ちに開扉してしまうことを錠装置を用いずに防止することができ、閉扉状態の維持の信頼性を容易に高めることができる。
【００１２】
上述した開閉操作手段２の移動方向としては、天井面１からの突出方向、閉扉状態の維持の信頼性を考慮すれば、閉扉操作姿勢と開扉操作可能姿勢との間の移動を垂直回転とし、開扉操作可能姿勢と開扉姿勢との間の移動を水平回転とすることが望ましい。
【００１３】
また、このように開閉操作手段２の移動方向を設定した場合において、閉扉操作姿勢において開閉操作手段２を水平回転不能に収容する収容部４を設ければ、この収容部４から引き出されて水平回転可能になる姿勢を開扉操作可能姿勢に設定するだけでよく、例えば、単に直交方向二方向に回転するいわゆる二軸ヒンジ機構のようなもので開閉操作手段２を支持して構成することができる。
【００１４】
さらに、この場合において開閉操作手段２を閉扉操作姿勢方向に付勢するとともに、開扉操作可能姿勢方向に所定角度回転した際に付勢方向が反転されて開扉操作可能姿勢方向に付勢するように構成したときには、閉扉操作姿勢に維持されて開扉操作姿勢に移動不能な状態、すなわちしっかりと閉扉されているときに対応する開閉操作手段２の天井面１に対する突出高さと、開扉操作姿勢に移動可能な状態、すなわち開扉のおそれがあるときに対応する開閉操作手段２の天井面１に対する突出高さのいずれかに開閉操作手段２を位置させることができる。すなわち、これらの間の中途半端な姿勢に位置して判別が困難になることを防止できる。また、開扉操作可能姿勢を維持できるようにすることにより、開閉操作手段２による開扉操作性を良好にすることができる。
【００１５】
加えて、上述した従来例における蓋体、すなわち点検扉３は、枠体８によって構成することが可能で、天井点検口を設置するための開口部を開設するために天井から切り出した天井材７などを枠体８の開口６内に保持させれば、点検扉３を施工現場で効率的に形成することができる。このように点検扉３を枠体８を用いて構成したときには、上述した開閉操作手段２を備えるような点検扉３の開閉装置５は、外枠側に取り付けるのではなく、枠体８の開口６内に取り付けることが作業効率上好ましい。しかしながら、この場合には開閉装置５のサイズに合わせて天井材７を切り欠かなければならず、厳密な切り欠き寸法の管理が難しいという問題が生じてしまう。
【００１６】
この場合において、開閉装置５に化粧カバー１０を保持させ、天井材７の切欠部９周縁との隙間を隠すようにすれば、かかる問題を解消することができる。また、このように開閉装置５とは別体の化粧カバー１０を用いれば、開閉装置５を縁取るような化粧を施すことができる上に、開閉装置５自体の点検扉３外表面に露出する大きさをより小さく抑えてよりスマートな外観に仕上げることができ、さらに、上述した天井材７に形成される切欠部９のサイズに合わせて化粧カバー１０を交換することで融通性を高めることができる。
【発明の効果】
【００１７】
以上の説明から明らかなように、本発明によれば、閉扉状態の確認が容易な天井点検口を提供することができ、安全性をより高めることができる。
【発明を実施するための最良の形態】
【００１８】
図１ないし図７に本発明の実施の形態を示す。図１ないし図３に示すように、天井点検口は、天井面１に開設された開口部２１の周縁に固定される外枠２２と、外枠２２内を閉塞、あるいは開放する点検扉３と、この点検扉３の開閉装置５とを有する。上記外枠２２は、アルミニウムの押し出し成型品からなる断面略Ｌ字形状の枠材２３を枠組みして形成され、開口部２１周辺の天井材７の室内側表面（天井面１）に被さる鍔部２２ａを備える。枠組みは同じ長さの枠材２３の端部同士を断面略Ｌ字形状のコーナーピース２４を介して直角に順次連結固定してなされ、図１に示すように平面視においてほぼ正方形の額縁状をなすようになされる。また、図３に示すように、この実施の形態において天井面１を構成する天井材７は天井下地材７ａの室内側表面に天井仕上げ材７ｂを配置して形成される。
【００１９】
上記点検扉３は、上述した外枠２２よりもひとまわり小さい内枠（枠体８）の開口６内を天井材７で塞いで形成される。内枠８は、上述した外枠２２と同様に断面略Ｌ字形状の枠材２３’をコーナーピース２４’により枠組みして形成され、鍔部８ａを内側に張り出させることにより開口６内の天井材７の周縁部を支持する。また、この内枠８には開口６内の天井材７の周縁部上面を押さえつける断面Ｌ字形状の押さえ片２５がねじ止めされ、鍔部２２ａと押さえ片２５により開口６内の天井材７が挟持される。
【００２０】
以上の点検扉３は、この実施の形態においては操作性を考慮して外枠２２に対して回転軸２６を介して回転自在に連結される。図１に示すように、回転軸２６は、内枠８の一端縁近傍の対向位置に対をなしてそれぞれ図示省略される止め輪によって適宜固定され、内枠８から外方に向かって延びる端部が外枠２２に適宜穿孔される軸孔に回転自在に挿入される。これにより内枠８は、図７（ａ）に示すように外枠２２内に嵌合する閉扉位置と、図１に示すように外枠２２に対してほぼ直交する開扉位置との間を移動する。
【００２１】
また、上記開閉装置５は、いわゆる平面ハンドルであり、ハンドル（開閉操作手段２）が直交二軸方向に回転自在に連結されるハンドルケース２７にはハンドル収容部（収容部４）が形成される。このハンドルケース２７は、図１および図４に示すように、ハンドル２の形状に合わせた有底の凹状に形成されるハンドル収容部４の一端部に略円筒状の連結軸収容部２７ａを連設して形成され、連結軸収容部２７ａの中空部がハンドル収容部４の中空部からさらに凹むようにして連通する。また、ハンドル収容部４の底壁から立ち上がる側壁の上端縁部は外方に鍔状に折り曲げられ、外方に向かって張り出すリブ２７ｂが形成される。
【００２２】
なお、図４等において２８はハンドルケース２７の固定金具としての止着子、２９はこの止着子２８の止着によってハンドルケース２７との間に固定対象、この実施の形態においては後述する取付金具３０を挟み付けるためのカップワッシャーに近似した押さえ金具であり、この押さえ金具２９は図４（ａ）および（ｂ）に示すようにハンドル収容部４に近接して配置できるようにハンドル収容部４側の一側方が切り欠かれる。
【００２３】
一方、上記ハンドル２は、外形が略棒状の握り部３１と、この握り部３１の一端から延設されて上述した連結軸収容部２７ａ内に挿入される連結軸３２に連結される連結部３３とを備える。握り部３１は、上述したハンドル収容部４にハンドル２を収容させた状態でハンドル収容部４のリブ２７ｂとほぼ同一面に位置する平面部３１ａを備える。一方、連結部３３は、図４（ａ）に示すように断面略く字形状に形成され、上記平面部３１ａから離れるに従って漸次平面部３１ａからの突出量を大きくして上述したリブ２７ｂから突出する押圧操作部３３ａを備える。また、ハンドル収容部４の底壁に面する連結部３３の底面側には、上記平面部３１ａとほぼ平行な平行支持面３４と、押圧操作部３３ａに沿うように平行支持面３４に対して４０度程度の角度で傾斜し、平行支持面３４から離れるに従って漸次ハンドル収容部４の底壁からの離間間隔を大きくする傾斜支持面３５とが形成される。さらに、上記平行支持面３４と傾斜支持面３５との境界部分には、図４（ａ）、（ｃ）および図６（ａ）等に示すように、上述した連結軸３２を平行支持面３４および傾斜支持面３５のそれぞれに対するほぼ直交方向から呑み込むことができるように細長のスリット状をなす連結軸受け３３ｂが凹設される。
【００２４】
以上のハンドルケース２７とハンドル２とを連結する連結軸３２は、図４（ａ）や図６（ａ）等に示すように、上述した連結軸収容部２７ａに嵌入される嵌入部３２ａから連結軸受け３３ｂに嵌入される軸本体３２ｂを延設して形成される。この連結軸３２は、連結軸収容部２７ａの内壁に嵌入部３２ａの外壁を摺接させてハンドルケース２７のリブ２７ｂが配置される面に対する直交方向を回転軸線方向としてハンドルケース２７に対して回転自在に連結される。この相対回転は、図２および図４（ａ）等に示すように、後述する止め金板３６がハンドルケース２７から突設される回り止め突起２７ｃに衝接することにより、ハンドル２がハンドル収容部４に収容できる、すなわちハンドル収容部４に対応する回転姿勢と、この回転姿勢から９０度回転してハンドル収容部４に対応しない回転姿勢との間の範囲内に規制される。なお、図４（ａ）において嵌入部３２ａの外壁に配置される３７は、ゴム製のＯリングパッキンである。
【００２５】
また、図４（ａ）および（ｃ）に示すように、上記軸本体３２ｂの先端は半球面にされ、ハンドル２の連結軸受け３３ｂに対して副連結軸３８を介して連結される。この副連結軸３８は上述した連結軸３２の回転軸２６方向に対して直交する方向を回転軸線方向とするもので、副連結軸３８周りにハンドル２を回転させることにより、ハンドル２をハンドルケース２７から出没させることができる。また、副連結軸３８周りにハンドル２が妄りに回転することを防ぐために、軸本体３２ｂ周りには連結軸３２の回転軸線方向に弾性を発揮する波状の座金あるいはワッシャ等からなるバネ３９が介装される。なお、図４（ａ）等において４０は平ワッシャーである。  
【００２６】
以上の連結軸３２のハンドル２との連結反対端には断面矩形の突起３２ｃが突設され、これに嵌合することによって相対回転を規制されて上述した止め金板３６が連結される。止め金板３６は、図３等に示すようにクランク形状をなし、後述するように内枠８に開閉装置５を固定するこの実施の形態において、外枠２２内を点検扉３によって閉塞したときにその先端が外枠２２の上縁に係止できる程度の長さ、寸法に形成される。
【００２７】
この止め金板３６は、上述したようにハンドル２をハンドル収容部４に収容できる、すなわちハンドル２がハンドル収容部４に対応した回転位置においてハンドルケース２７の側方に飛び出して外枠２２に係止できる姿勢になり、対応しない回転位置においてハンドルケース２７の上方に重なるようにして外枠２２に係止できない姿勢なるように、ハンドル２の連結軸３２に対する回転連結姿勢を考慮して連結軸３２に連結される。また、これらの回転位置に回転角度を合わせやすいように、止め金板３６の基端部には、上述したように連結軸３２周りの正逆回転によってそれぞれの回転角度においてハンドルケース２７の回り止め突起２７ｃに衝接する切り欠きからなる回転角度規制部４１が形成される。なお、図４等において２８’が連結軸３２に止め金板３６を止めるための止着子であり、止着に際してはバネ座金等が適宜介装される。
【００２８】
また、上述したように、以上の開閉装置５は内枠８の開口６内に取付金具３０を介して取り付けられ、この開口６内の天井材７には、開閉装置５を室内側に露出させるための切欠部９が形成される。取付金具３０は、図３等に示すように断面Ｌ字形状をなし、上述したように一方の面がハンドルケース２７に、他方の面が内枠８の内壁面にネジ止めされる。このネジ止めに際してはハンドル収容部４が室内側に開放する向きに合わせられ、また、化粧カバー１０の一側縁部が内枠８の鍔部８ａに支持されるように調整される。さらに、この開閉装置５の内枠８への取り付け状態において、上述した止め金板３６は、ハンドルケース２７の側方に飛び出す姿勢をとることにより、ハンドルケース２７から取付金具３０側に突出して取付金具３０が固定される内枠８の上を越えて外枠２２の上縁に係止する。
【００２９】
また、上記取付金具３０のハンドルケース２７に対する固定面は、図４（ａ）ないし（ｃ）に示すように、ハンドル収容部４や上述した止着子に噛み合うネジ穴が切られたネジ受け突起２７ｄなどのハンドルケース２７のリブ２７ｂよりも室外側に突出する突出部を避けるようにして切り欠かれる。この実施の形態においては、ハンドルケース２７の水平方向への移動を拘束できるように、上記突出部周りを半周以上程度に渡って囲むことができるよう切り欠かれ、上述したネジ止め姿勢をとるハンドルケース２７に対して上方から被せることにより、リブ２７ｂに当接するようにして上記突出部の周囲に嵌合される。この状態で上述したように押さえ金具２９とハンドルケース２７のリブ２７ｂとの間で取付金具３０を挟持することにより、内枠８への取付状態においてハンドルケース２７の表面側に押さえ金具２９が露出することはない。
【００３０】
さらに、以上の押さえ金具２９とハンドルケース２７のリブ２７ｂとの間には化粧カバー１０が介装される。この化粧カバー１０はハンドルケース２７のリブ２７ｂの周囲を縁取り、室内側からの外観を良好に維持するためのもので、リブ２７ｂよりもひとまわり大きい程度の外形寸法を有する。上述した取付金具３０と同様にハンドルケース２７に対して上方から被せることができるように、化粧カバー１０は、突出部の周囲を包囲するように金属の薄板材を切り欠いて形成される。
【００３１】
したがって以上の天井点検口は、止め金板３６を外枠２２に係止させる連結軸３２周りの回転姿勢、すなわちハンドル収容部４に対応する回転姿勢にハンドル２を合わせることにより、閉扉させることができる。ここからハンドル２を回転させれば、外枠２２に対する止め金板３６の係止を解除させて開扉することができる。上述したように天井点検口が閉扉位置をとるときにおいて、ハンドル収容部４に収容される副連結軸３８周りの回転姿勢にハンドル２を合わせれば、ハンドル２の連結軸３２周りの回転が収容部４によって禁止され、これにより天井点検口が確実に閉扉されることになる。ここから開扉するには、ハンドル２を一旦ハンドル収容部４から飛び出す副連結軸３８周りの回転姿勢に合わせた後、さらに止め金板３６を外枠２２から係止解除させる連結軸３２周りの回転姿勢に合わせればよい。
【００３２】
すなわち、ハンドル２は、図４に示すようにハンドル収容部４に収容されたときを閉扉操作姿勢とし、図６（ｃ）に示すようにハンドル収容部４から飛び出し、かつ、ハンドル収容部４に対応しない連結軸３２周りの回転姿勢をとるときを開扉操作姿勢とする。また、この閉扉操作姿勢と開扉操作姿勢との間の移行途上において、ハンドル２は、図５に示すように、ハンドル収容部４から飛び出し、かつ、連結軸３２周りにハンドル収容部４に対応する回転姿勢、言い換えれば開扉操作姿勢に移行できる開扉操作可能姿勢をとる。さらに、以上のハンドル２は、図６（ａ）および（ｂ）に示すように、平行支持面３４と傾斜支持面３５との境界部が平ワッシャー４０に圧接したときを思案点とするバネ３９により、平行支持面３４を連結軸３２の平ワッシャー４０に圧接させた閉扉操作姿勢、あるいは上記平行支持面３４に変えて傾斜支持面３５を圧接させた開扉操作可能姿勢のいずれかに保持される。
【００３３】
以上の天井点検口の天井への施工を図２および図３等を参照して説明する。施工に際しては、まず最初に外枠２２の外形寸法に合わせて天井材７を切断して天井に開口部２１を開設させる。この開口部２１の寸法は、外枠２２の鍔部２２ａの寸法が許容公差として機能することから、現場での作業であっても特段の手間が生じることはない。また、この際切り出した天井材７の切片は、上述した突出部の配置領域を除く内枠８の内形寸法に合わせて切断され、内枠８の内部に装着されて点検扉３の一部として再利用される。この天井材７の切片の寸法は、内枠８の鍔部８ａ、および化粧カバー１０が許容公差として機能する。
【００３４】
次いで、図２に示すように、開口部２１の周囲に取付用のチャンネル材４２を配置して補強する。この取付用のチャンネル材４２は、点検扉３の開閉時の回転方向に直交する開口部２１の対向辺縁に配置され、天井裏において直交方向に所定間隔で架設される支持用のチャンネル材４３間に架設され、この支持用のチャンネル材４３は、例えば、図示しない野縁間に連結固定されて支持用のチャンネル材４３に対する直交方向に所定間隔で配置される補強用のチャンネル材４４間に架け渡されて支持される。天井点検口の天井への取り付け、すなわち外枠２２の開口部２１への取り付けは、図３に示すように、取付用のチャンネル材４２に適宜固定されたチャンネルキャッチ部材４５から垂下される吊り下げ片４５ａを外枠２２の外壁にネジ止めすることによりなされる。この取り付けに際して、外枠２２の鍔部２２ａは開口部２１周縁の天井面１に上面を当接させられ、天井面１との外観上の違和感が生じないように配慮される。なお、図２において４６は、上述したように格子状に張り巡らされる取付用のチャンネル材４２と支持用のチャンネル材を連結して支持強度を高めるためのチャンネルロック部材、４７は、図３に示すように、点検扉３の万一の脱落を防ぐためのワイヤーロックであり、外枠２２と内枠８を脱離不能に連結する。
【００３５】
上述した外枠２２の開口部２１への取り付け前に予め回転軸２６により外枠２２に対して点検扉３を連結しておけば、ハンドル２を開扉操作姿勢に合わせることによって点検扉３を外枠２２内に嵌合させることができ、この後、ハンドル２を閉扉操作姿勢にすれば、天井点検口をしっかりと閉扉することができる。
【００３６】
この閉扉状態において、内枠８の下端は図３に示すように外枠２２の鍔部２２ａとほぼ同一面に位置し、この内枠８の底面や内枠８内に固定される天井材７の切片の底面、ハンドルケース２７のリブ２７ｂ、化粧カバー１０といった点検扉３の室内側表面部が天井面１とほぼ同一面上に配置されて外観上の天井面１との違和感が生じにくくされる。また、ハンドル２についても、閉扉操作姿勢において平面部３１ａが天井面１とほぼ同一面上に配置され、天井面１から室内側へは面積が小さい押圧操作部３３ａのみが突出するだけになるために天井面１の外観をあまり損ねることはない。
【００３７】
この状態から天井点検口を開扉する際には、先ず、ハンドル２の押圧操作部３３ａを押圧する。この押圧によって、ハンドル２は垂直回転して開扉操作可能姿勢に移行する。次いで、バネ３９によって開扉操作可能姿勢に保持されるハンドル２の握り部３１を握り、ハンドル２を水平回転させれば、ハンドル２が開扉操作姿勢に移行して止め金板３６の外枠２２との係止が解除され、これにより止め金板３６の支持を失った点検扉３は自重により回転軸２６を中心に垂直回転し、これによって天井点検口を開扉させることができる。
【００３８】
また、以上の天井点検口は、図７（ａ）に示すようにハンドル２が閉扉操作姿勢を取るときには天井面１と一体化したスマートな外観を維持することができる。このとき、ハンドル２は、ハンドル収容部４に収容されることにより水平回転を禁止され、したがって天井点検口が不用意に開扉することはない。図７（ｂ）に二点鎖線で示すように、天井点検口が開扉されてしまうハンドル２の開扉操作姿勢は、ハンドル２が閉扉操作姿勢から一旦、開扉操作可能姿勢に移行した後でなければ移行することができず、この開扉操作可能姿勢は、図７（ｂ）に実線で示すようにハンドル２が天井面１から大きく突出した状態になることから、天井面１との対比によって極めて容易に発見することができる。したがって、仮に外部の振動等が天井点検口に作用したり、あるいは天井点検口を閉め忘れるようなことがあったとしても、開扉操作可能姿勢を極めて容易に発見できれば、天井点検口が不用意に開扉してしまうことを事前に防止することができる。
【００３９】
なお、以上の実施の形態においては、開閉装置５として二軸ヒンジ機構を備えた片持梁状のハンドル２を用いた平面ハンドルを用いる場合を示したが、閉扉状操作姿勢から開扉操作姿勢に移行する際に天井面１からの突出量が異なり、これらの見分けを容易にすることができるものであればよく、例えばポップアップハンドル等の他のハンドルを用いたり、平面ハンドルの他の態様のものを用いることも可能である。また、ハンドル２を付勢するバネ３９は、上述した波座金等以外に、例えば皿バネなど他の弾性部材を用いることも可能である。
【図面の簡単な説明】
【００４０】
【図１】本発明を示す図で、開扉状態を示す斜視図である。
【図２】天井への設置状態を示す図で、平面図である。
【図３】天井への設置状態を示す図で、図２の３Ａ-３Ａ線断面図である。
【図４】ハンドルが閉扉操作姿勢をとるときの開閉装置を説明する図で、（ａ）は図２の４Ａ-４Ａ線断面図、（ｂ）は（ａ）の４Ｂ-４Ｂ線断面図、（ｃ）は（ａ）の４Ｃ-４Ｃ線断面図である。
【図５】ハンドルが開扉操作可能姿勢に移行したときの開閉装置を説明する図で、（ａ）は図４（ａ）に対応する断面図、（ｂ）は図４（ｂ）に対応する断面図である。
【図６】ハンドルの姿勢変更を説明する図で、（ａ）は閉扉操作姿勢等におけるハンドルとバネとの関係を示す要部断面図、（ｂ）は閉扉操作姿勢から開扉操作可能姿勢に移行する途上のハンドルとバネとの関係を示す要部断面図、（ｃ）はハンドルが開扉操作姿勢に移行したときの開閉装置を説明する図４（ａ）に対応する図である。
【図７】天井点検口の外観を示す斜視図で、（ａ）はハンドルが閉扉操作姿勢をとるときを示す図、（ｂ）はハンドルが開扉操作可能姿勢をとるときを示す図である。
【符号の説明】
【００４１】
１  天井面
２  開閉操作手段
３  点検扉
４  収容部
５  開閉装置
６  開口
７  天井材
８  枠体
９  切欠部
１０  化粧カバー
【図１】
2009041304.tif 000003
【図２】
2009041304.tif 000004
【図３】
2009041304.tif 000005
【図４】
2009041304.tif 000006
【図５】
2009041304.tif 000007
【図６】
2009041304.tif 000008
【図７】
2009041304.tif 000009